(57)【要約】      （修正有）【課題】作業者が一人でもフレキシブル管の伸張作業を可能とする固定治具の提供。【解決手段】フレキシブル管Ｂの一端側を着脱可能に固定する固定手段Ｃを備えた。【選択図】図１
0003109056.tif 000002
【実用新案登録請求の範囲】
【請求項１】
フレキシブル管の一端側を着脱可能に固定する固定手段を備えたフレキシブル管伸張用固定治具。
【請求項２】
前記固定手段は、フレキシブル管の周面の表裏いずれかに操作部の操作によって接触する固定板と、当該固定板と正対するとともに、固定板とは反対側のフレキシブル管の周面にクランプ操作によって接離可能に接触するクランプ部とを備え、これら固定板とクランプ部とでフレキシブル管を挟持するものである請求項１に記載のフレキシブル管伸張用固定治具。
【請求項３】
前記固定板は、フレキシブル管の径方向に移動可能に複数備えられ、当該複数の固定板は、前記操作部によってすべて同時に移動するとともに、目的の位置で保持されるように支持されている請求項２に記載のフレキシブル管伸張用固定治具。
【請求項４】
前記固定板は、フレキシブル管の内周面に接触する構成である請求項２または請求項３に記載のフレキシブル管伸張用固定治具。
【請求項５】
前記操作部は、伸縮可能な水平リンク機構の一端側に固定板を、他端側に水平リンク機構を伸縮操作する操作体を夫々設けてなる請求項２ないし請求項４いずれか１項に記載のフレキシブル管伸張用固定治具。
【請求項６】
前記操作部は、前記水平リンク機構を２本のリンク杆が相互にその中心位置において回動可能に軸支して構成し、前記操作体を前記両リンク杆の端部に一方向の回動で両リンク杆の端部を接近・離間させるように螺合する螺合杆と、螺合杆を回動させる操作ノブとからなるものである請求項５に記載のフレキシブル管伸張用固定治具。
【考案の詳細な説明】
【技術分野】
【０００１】
本考案は、たとえば、空調設備や電気設備等に使用されるフレキシブル管を伸張するために使用される固定治具に関する。
【背景技術】
【０００２】
たとえば、空調設備や電気設備等に使用されるフレキシブル管は、現場に運搬する際には、収縮状態であり、現場において所定の長さに伸張し、これを必要長さに切断するとともに、所定角度に曲げをつけて施工している。
【考案の開示】
【考案が解決しようとする課題】
【０００３】
ところで、現在行われているフレキシブル管の伸張作業は、フレキシブル管の一方端と他端を持って引っ張りあって行っている。
すなわち、前記した伸張作業は、フレキシブル管の一方端を持つ者、他端を持つ者の少なくとも二人の作業者が必要であり、作業者が一人になってしまった場合には、伸張作業が行えず、空調設備や電気設備等の施工が遅延してしまうため、作業者が一人でもフレキシブル管の伸張作業ができるようにすることが必要となっている。
なお、本願出願人の知り得る範囲において、作業者が一人でもフレキシブル管の伸張作業ができるようにすることを解決した先行技術文献情報は無い。
【０００４】
本考案は、作業者が一人でもフレキシブル管の伸張作業を可能とすることを課題とし、この課題を解決するフレキシブル管伸張用固定治具の提供を目的とする。
【課題を解決するための手段】
【０００５】
本考案は、前記目的を達成するために下記の技術的手段を採用した。
その技術的手段は、フレキシブル管の一端側を着脱可能に固定する固定手段を備えたフレキシブル管伸張用固定治具としたことである（第１考案）。
【０００６】
固定手段の具体的な構成として、たとえば、フレキシブル管の周面の表裏いずれかに接触する固定板と、当該固定板と正対するとともに、固定板とは反対側のフレキシブル管の周面にクランプ操作によって接離可能に接触するクランプ部とを備え、これら固定板とクランプ部とでフレキシブル管を挟持するような構成が挙げられる（第２考案）。
前記、固定板は、あらゆる径のフレキシブル管に対応できるように、フレキシブル管の径方向に移動可能に複数備えられ、当該複数の固定板は、前記操作部によってすべて同時に移動するとともに、目的の位置で保持されるように支持されている構成が好ましい（第３考案）。
固定板は、フレキシブル管の内周面に接触する構成または外周面に接触する構成のいずれでもよいが、好ましくは、フレキシブル管の内周面に接触する構成である（第４考案）。
操作部は、前記固定板を移動可能および保持可能な構成のすべてを含み、たとえば、伸縮可能な水平リンク機構の一端側に固定板を、他端側に水平リンク機構を伸縮操作する操作体を夫々設けてなるものが挙げられる（第５考案）。
操作部の具体的な構成として、たとえば、前記水平リンク機構を２本のリンク杆が相互にその中心位置において回動可能に軸支して構成し、前記操作体を前記両リンク杆の端部に一方向の回動で両リンク杆の端部を接近・離間させるように螺合する螺合杆と、螺合杆を回動させる操作ノブとからなるものとする構成が挙げられる（第６考案）。
【考案の効果】
【０００７】
本考案は、前記の構成によって下記の優れた効果が期待できる。
第１考案によれば、フレキシブル管の一端を固定可能であるので、固定状態でフレキシブル管の他端を持って引っ張ることができる。
第２考案によれば、本考案のフレキシブル管伸張用固定治具を具体的に提供することができる。
第３考案によれば、複数の固定板が操作部の操作によって、フレキシブル管の径方向に移動してフレキシブル管の周面に接触する構成であるので、異なる径のフレキシブル管に対応して確実、かつ容易に固定することができる。
第４考案によれば、固定板がフレキシブル管の内周面に接触する構成であるので、クランプ部がフレキシブル管の外周面に位置し、これによって、クランプ部のクランプ操作が行いやすくなる。
第５考案および第６考案によれば、操作部を具体的に提供することができる。
したがって、本考案は、作業者が一人でもフレキシブル管の伸張作業を可能とするフレキシブル管伸張用固定治具を提供することができる。
【考案を実施するための最良の形態】
【０００８】
以下、本考案を実施するための最良の形態を図１〜図４に基づいて説明する。
本形態のフレキシブル管伸張用固定治具（以下、「固定治具」と略称する）Ａは、フレキシブル管Ｂの内周面に接離可能に接触する３枚の固定板１と、当該固定板１と正対するとともに、フレキシブル管Ｂの外周面に接離可能に接触するクランプ部２と、前記固定板１をフレキシブル管Ｂの内周面に接離操作を行う操作部３からなる固定手段Ｃを備えている。
また、前記固定手段Ｃは、略正方形の土台板４に固定されている。
前記土台板４は、固定治具Ａを使用する際に、たとえば、現場における単管Ｄや壁（図示せず）等に取り付けるためのものであり、この単管Ｄや壁等に取り付けるための取付け具Ｄ１を貫通させるための貫通孔４１が形成されている。
符号４２は、フレキシブル管Ｂの径の目印となるけがき線であり、土台板４の中心と同心とする異なる径の複数の円形にされている。
【０００９】
以下、固定手段Ｃを詳述する。
前記固定板１は、図において円弧状に形成された略曲板状のものであり、互いに同角度をもって配置されていて、それぞれ、前記けがき線４２の中心から径方向に移動可能に支持されている。
【００１０】
前記クランプ部２は、前記固定板１の表面に設置されている。
前記クランプ部２を詳述すると、フレキシブル管Ｂの外周面に接触する接触部２１と、接触部２１を支持する支持杆２２と、当該支持杆２２を保持するための保持杆２３と、当該保持杆２３と前記支持杆２２を回動可能に支持する支持板２４とからなり、前記支持板２４を固定板１の表面に固着することによって設置される。
【００１１】
前記接触部２１は、フレキシブル管Ｂを傷つけない程度の柔軟性を有し、かつ密着性を有する軟質の合成樹脂材を用いて形成された接触体２１Ａと、当該接触体２１Ａに固着され、フレキシブル管Ｂに対して接離方向に移動するように前記支持杆２２に螺合されたボルト部２１Ｂと、当該ボルト部２１Ｂを固定するためのロックナット２１Ｃとから構成されている。
前記支持杆２２は、フレキシブル管Ｂに対して接離する方向に回動可能に支持されていて、接触方向への回動により前記接触体２１Ａをフレキシブル管Ｂに接触させ、離間方向への回動により前記接触体２１Ａをフレキシブル管Ｂから離間させるようにされている。
前記保持杆２３は、前記支持杆２２の回動を規制する規制突起２３Ａを備えていて、当該規制突起２３Ａが支持杆２２に対して接離する方向に回動可能に支持されている。
前記規制突起２３Ａは、支持杆２２の側部と正対、かつ近接するように、支持杆２２の長手方向に沿って突設されている。
すなわち、前記保持杆２３を規制突起２３Ａが支持杆２２に接触する方向へ回動することにより、規制突起２３Ａが支持杆２２に接触して、当該支持杆２２の回動を不可状態にし、前記保持杆２３を規制突起２３Ａが支持杆２２から離間する方向へ回動することにより、規制突起２３Ａと支持杆２２との間に空間が生じて、保持杆２３を前記空間の距離分回動可能状態にすることができる。 （図４参照 ）
また、前記保持杆２３は、前記規制突起２３Ａを支持杆２２に接触させて、当該支持杆２２の回動を不可状態にする際には、当該状態においてロック機構 （図示せず ）によって不動状態とし、前記規制突起２３Ａを支持杆２２から離間させて、当該支持杆２２の回動を可能状態にする際には、前記ロック機構を解除して支持杆２２を可動状態とする。
なお、前記ロック機構の構成については、特に限定せず、たとえば、凹凸係合であって、凸部が凹部に対して嵌合方向へ付勢され、凸部の嵌合状態において前記保持杆を不動状態にし、前記保持杆の回動によって凸部の凹部に対する嵌合を解除して前記保持杆を可動状態にする構成、またはボルト・ナット（図示せず）で締めることで前記保持杆を不動状態にし、緩めることで前記保持杆を可動状態にする構成等が挙げられる。
【００１２】
操作部３は、２本のリンク杆５１，５２を、相互にその中心位置において回動可能に軸支して構成した伸縮可能な水平リンク機構５と、当該水平リンク機構５を伸縮操作する操作体６とから構成されている。
前記リンク杆５１，５２の一端には、前記固定板１が支持され、他端には、前記操作体６が支持されている。
前記リンク杆５１の一端は、前記固定板１に対してスライド可能、かつ回動可能に支持され、前記リンク杆５２の一端は、前記固定板１に対して回動可能に支持されていて、水平リンク機構５の伸縮に伴うリンク杆５１，５２の端部が接近・離間する際の距離の差を吸収するようにしている。
前記操作体６は、前記両リンク杆５１，５２の他端が、一方向の回動で両リンク杆の端部を接近・離間させる螺合杆６１に螺合された螺合部６２に回動可能に軸支され、前記螺合杆６１の端部には、螺合杆６１を回動させる操作ノブ６３が取り付けられている。
螺合杆６１は、上半部に切られた螺旋の方向と下半部に切られた螺旋の方向とが逆方向になっていて、前記螺合部６２を上半部と下半部とに螺合することによって、一方向の回転により螺合部６２を互いに逆方向に移動せるようにしている。
前記螺合杆６１は、前記土台板４に設けられたベアリング６４によって回転可能に支持されている。
【００１３】
以下、前記構成の固定治具Ａによるフレキシブル管Ｂの固定方法を説明する。
先ず、土台板４を任意の部位に固定し、操作ノブ６３の操作によってリンク機構５を介して固定板１を、固定するフレキシブル管Ｂの径に対応するけがき線４２までスライドさせ、目的の位置までスライドした固定板１にフレキシブル管Ｂを嵌合する。
また、必要に応じてさらに固定板１をスライドさせて、固定板１のフレキシブル管Ｂに対する接触力を高めてもよい。
このとき、前記クランプ部２における支持杆２２を回動可能にしておき、接触体２１Ａと固定板１の間にフレキシブル管Ｂを位置させる。
また、接触体２１Ａと固定板１との距離は、固定するフレキシブル管Ｂの厚みに設定されている。
そして、保持杆２３を回動して支持杆２２の回動を不可状態にすることによってフレキシブル管Ｂが固定される。
固定したフレキシブル管Ｂの他端を手で持って引っ張ることによってフレキシブル管Ｂを伸張することができる。
したがって、フレキシブル管Ｂの伸張作業を一人で行うことができる。
【００１４】
なお、本考案は、例示した形態に限定するものではなく、実用新案登録請求の範囲の各項に記載された内容から逸脱しない範囲で、他の形態による実施も任意である。
【図面の簡単な説明】
【００１５】
【図１】本発明に係るフレキシブル管伸張用固定治具の要部断面図。
【図２】同、断面図で固定板を移動させた状態を示す。
【図３】本発明に係るフレキシブル管伸張用固定治具の正面図で一部切欠して示す。
【図４】クランプ部の要部拡大図である。
【符号の説明】
【００１６】
Ａ：固定治具
Ｂ：フレキシブル管
Ｃ：固定手段
１：固定板１
２：クランプ部
３：操作部
５：水平リンク機構
６：操作体
２１：接触部
２２：支持杆
２３：保持杆
２４：支持板
２１Ａ：接触体
２１Ｂ：ボルト部
２１Ｃ：ロックナット
２３Ａ：規制突起
５１：リンク杆
５２：リンク杆
６１：螺合杆
６２：操作ノブ
【図１】
0003109056.tif 000003
【図２】
0003109056.tif 000004
【図３】
0003109056.tif 000005
【図４】
0003109056.tif 000006
【手続補正書】
【提出日】平成17年1月31日(2005.1.31)
【手続補正１】
【補正対象書類名】実用新案登録請求の範囲
【補正対象項目名】全文
【補正方法】変更
【補正の内容】
【実用新案登録請求の範囲】
【請求項１】
フレキシブル管の一端側を着脱可能に固定する固定手段を備え、当該固定手段は、フレキシブル管の周面の表裏いずれかに操作部の操作によって接触する固定板と、当該固定板と正対するとともに、固定板とは反対側のフレキシブル管の周面にクランプ操作によって接離可能に接触するクランプ部とを備え、これら固定板とクランプ部とでフレキシブル管を挟持するものであるフレキシブル管伸張用固定治具。
【請求項２】
前記固定板は、フレキシブル管の径方向に移動可能に複数備えられ、当該複数の固定板は、前記操作部によってすべて同時に移動するとともに、目的の位置で保持されるように支持されている請求項１に記載のフレキシブル管伸張用固定治具。
【請求項３】
前記固定板は、フレキシブル管の内周面に接触する構成である請求項１または請求項２に記載のフレキシブル管伸張用固定治具。
【請求項４】
記操作部は、伸縮可能な水平リンク機構の一端側に固定板を、他端側に水平リンク機構を伸縮操作する操作体を夫々設けてなる請求項１ないし請求項３いずれか１項に記載のフレキシブル管伸張用固定治具。
【請求項５】
前記操作部は、前記水平リンク機構を２本のリンク杆が相互にその中心位置において回動可能に軸支して構成し、前記操作体を前記両リンク杆の端部に一方向の回動で両リンク杆の端部を接近・離間させるように螺合する螺合杆と、螺合杆を回動させる操作ノブとからなるものである請求項４に記載のフレキシブル管伸張用固定治具。
【手続補正２】
【補正対象書類名】明細書
【補正対象項目名】０００５
【補正方法】変更
【補正の内容】
【０００５】
本考案は、前記目的を達成するために下記の技術的手段を採用した。
【手続補正３】
【補正対象書類名】明細書
【補正対象項目名】０００６
【補正方法】変更
【補正の内容】
【０００６】
その技術的手段は、フレキシブル管の一端側を着脱可能に固定する固定手段を備え、当該固定手段は、フレキシブル管の周面の表裏いずれかに接触する固定板と、当該固定板と正対するとともに、固定板とは反対側のフレキシブル管の周面にクランプ操作によって接離可能に接触するクランプ部とを備え、これら固定板とクランプ部とでフレキシブル管を挟持するような構成である。(第１考案)。
前記、固定板は、あらゆる径のフレキシブル管に対応できるように、フレキシブル管の径方向に移動可能に複数備えられ、当該複数の固定板は、前記操作部によってすべて同時に移動するとともに、目的の位置で保持されるように支持されている構成が好ましい(第２考案)。
固定板は、フレキシブル管の内周面に接触する構成または外周面に接触する構成のいずれでもよいが、好ましくは、フレキシブル管の内周面に接触する構成である(第３考案)。
操作部は、前記固定板を移動可能および保持可能な構成のすべてを含み、たとえば、伸縮可能な水平リンク機構の一端側に固定板を、他端側に水平リンク機構を伸縮操作する操作体を夫々設けてなるものが挙げられる(第４考案)。
操作部の具体的な構成として、たとえば、前記水平リンク機構を２本のリンク杆が相互にその中心位置において回動可能に軸支して構成し、前記操作体を前記両リンク杆の端部に一方向の回動で両リンク杆の端部を接近・離間させるように螺合する螺合杆と、螺合杆を回動させる操作ノブとからなるものとする構成が挙げられる(第５考案)。
【手続補正４】
【補正対象書類名】明細書
【補正対象項目名】０００７
【補正方法】変更
【補正の内容】
【０００７】
本考案は、前記の構成によって下記の優れた効果が期待できる。
第１考案によれば、フレキシブル管の一端を固定可能であるので、固定状態でフレキシブル管の他端を持って引っ張ることができる。
第２考案によれば、複数の固定板が操作部の操作によって、フレキシブル管の径方向に移動してフレキシブル管の周面に接触する構成であるので、異なる径のフレキシブル管に対応して確実、かつ容易に固定することができる。
第３考案によれば、固定板がフレキシブル管の内周面に接触する構成であるので、クランプ部がフレキシブル管の外周面に位置し、これによって、クランプ部のクランプ操作が行いやすくなる。
第４考案および第５考案によれば、操作部を具体的に提供することができる。
したがって、本考案は、作業者が一人でもフレキシブル管の伸張作業を可能とするフレキシブル管伸張用固定治具を提供することができる。